(57)【要約】  【課題】干渉による伝送品質の劣化を可及的に低減した経済的な通信線路およびその敷設方法を提供する。  【解決手段】通信機器室１間の通信ケーブル４の内、中間部分は、既設の通信ケーブル４−１とし、両端部分は、前記通信ケーブル４−１に比べて、漏話特性を改善した通信ケーブル４−２に取り替え、これによって、経済的に、漏話雑音を小さくして干渉を低減して伝送品質の劣化を改善している。【選択図】  図１
2005073207.tif 000002
【特許請求の範囲】
【請求項１】
通信端末間を通信ケーブルで接続して信号を伝送する通信線路であって、
前記通信端末間の通信ケーブルの内、両端部分の通信ケーブルを、中間部分の通信ケーブルに比べて、漏話特性が改善された通信ケーブルとしたことを特徴とする通信線路。
【請求項２】
前記信号が、高周波信号であって、ｘＤＳＬの信号を含む請求項１記載の通信線路。
【請求項３】
前記通信ケーブルが、メタルケーブルであって、該メタルケーブルには、前記ｘＤＳＬの回線を含む複数の回線が共存している請求項２記載の通信線路。
【請求項４】
前記漏話特性が改善された通信ケーブルは、前記各通信端末からクロージャに至る区間の通信ケーブルである請求項１〜３のいずれかに記載の通信線路。
【請求項５】
通信端末間を通信ケーブルで接続して信号を伝送する通信線路の敷設方法であって、
前記通信端末間の通信ケーブルの内、両端部分の通信ケーブルを、中央部分の既設の通信ケーブルに比べて、漏話特性が改善された通信ケーブルに取り替えることを特徴とする通信線路の敷設方法。
【請求項６】
前記信号が、高周波信号であって、ｘＤＳＬの信号を含み、前記通信ケーブルが、メタルケーブルであって、該メタルケーブルには、前記ｘＤＳＬの回線を含む複数の回線が共存している請求項５記載の通信線路の敷設方法。
【請求項７】
前記複数の回線には、列車の運行に利用される鉄道回線が含まれている請求項６記載の通信線路の敷設方法。
【発明の詳細な説明】
【技術分野】
【０００１】
本発明は、通信線路およびその敷設方法に関し、更に詳しくは、高速のデータ通信に好適な通信線路およびその敷設方法に関する。
【背景技術】
【０００２】
近年、アナログ回線用に敷設されているメタルケーブルを使い、音声通話帯域（３００Ｈｚ〜３．４ｋＨｚ）よりも高い周波数帯域を利用して高速なデジタル通信を行なう伝送方式としてｘＤＳＬ（ｘ Ｄigital Ｓubscriber Ｌine：デジタル加入者線）が、インターネット 、鉄道通信、電力通信網等を中心に導入され始めた。
【０００３】
このｘＤＳＬは、既存のメタルケーブルを用いるので、安価に高速なネットワークを構築するのに有効であるが、従来の通信回線には、メタルケーブルの高周波帯域を利用して通信を行なうものがあり、したがって、両者を同一のメタルケーブルに収容して伝送したり、あるいは、複数のｘＤＳＬの回線を同一のメタルケーブルに収容して伝送するような場合には、漏話雑音によって互いに干渉を引き起こし、伝送速度が劣化したり、ビットエラーなどの伝送異常が発生する場合がある。
【０００４】
ところで、従来から、互いの干渉を抑制するために、漏話特性の改善を図った通信ケーブルが種々提案されている（例えば、特許文献１参照）。
【特許文献１】特開２００３−１３２７４４号公報
【発明の開示】
【発明が解決しようとする課題】
【０００５】
したがって、漏話特性を改善して干渉を低減した上述のような通信ケーブルを、通信線路の全線に亘って新設したり、張り替えたりすることが考えられる。
【０００６】
しかしながら、複数の通信ケーブルを繋ぎ合わせて構成される通信線路の全線に対して、漏話特性を改善した通信ケーブルを新設したり、張り替えたりすることは、通信ケーブルおよび敷設のコストが高くつくことになって経済的ではない。
【０００７】
本発明は、上述のような点に鑑みて為されたものであって、干渉による伝送品質の劣化を可及的に低減した経済的な通信線路およびその敷設方法を提供することを目的とする。
【課題を解決するための手段】
【０００８】
本件発明者は、上述の目的を達成するために、鋭意研究した結果、次のようにして本発明を完成するに至った。
【０００９】
すなわち、漏話には、漏れた信号が送信側に現れる近端漏話と、受信側に現れる遠端漏話とがある。通信距離が或る程度長くなると、高周波信号は減衰するので、送信側から離れた受信側に現れる遠端漏話の影響は殆んどなくなり、近端漏話が支配的となる。
【００１０】
したがって、伝送品質の劣化を改善するためには、近端漏話を抑制することが必要である。近端漏話は、送信側に近い程、信号の漏れが大きく、送信側から離れる程、信号の漏れは小さくなるという性質を有しているので、送信側の適当な長さに亘って、漏話特性の改善を図った信号の漏れにくい通信ケーブルを使用することにより、通信線路における漏話雑音を小さくできることになる。
【００１１】
そこで、本発明の通信線路は、通信端末間を通信ケーブルで接続して信号を伝送する通信線路であって、前記通信端末間の通信ケーブルの内、両端部分の通信ケーブルを、中間部分の通信ケーブルに比べて、漏話特性が改善された通信ケーブルとしている。
【００１２】
本発明によると、通信端末間の通信ケーブルの内、送信側に近い両端部分の通信ケーブルを、中間部分の通信ケーブルに比べて、漏話特性が改善された通信ケーブルとしているので、中間部分は、既存のケーブルを使用しつつ、漏話雑音を小さくして干渉を抑制することができる。
【００１３】
本発明の一つの実施態様においては、前記信号が、高周波信号であって、ｘＤＳＬの信号を含むものである。
【００１４】
ここで、ｘＤＳＬ（ｘ Ｄigital Ｓubscriber Ｌine：デジタル加入者線）とは、ＡＤＳＬ（非対称デジタル加入者線）、ＨＤＳＬ（高速対称デジタル加入者船）、ＶＤＳＬ（超高速デジタル加入者線）、ＳＤＳＬ（対称デジタル加入者線）などの総称である。
【００１５】
この実施態様によると、既存のケーブルを使用しつつ、安価にネットワークを構築できる。
【００１６】
本発明の好ましい実施態様においては、前記通信ケーブルが、メタルケーブルであって、該メタルケーブルには、前記ｘＤＳＬの回線を含む複数の回線が共存している。
【００１７】
この実施態様によると、同一のメタルケーブルに、多数の回線を収容できるとともに、回線の間の干渉を抑制できることになる。
【００１８】
本発明の他の実施態様においては、前記漏話特性が改善された通信ケーブルは、前記各通信端末からクロージャに至る区間の通信ケーブルである。
【００１９】
この実施態様によると、ケーブルを延長する際に、接続部を保護するクロージャの部分を区切として、既存の通信ケーブルから漏話特性が改善された通信ケーブルに容易に取り替えることができる。
【００２０】
また、本発明の通信線路の敷設方法は、通信端末間を通信ケーブルで接続して信号を伝送する通信線路の敷設方法であって、前記通信端末間の通信ケーブルの内、両端部分の通信ケーブルを、中央部分の既設の通信ケーブルに比べて、漏話特性が改善された通信ケーブルに取り替えるものである。
【００２１】
本発明によると、両端部分の通信ケーブルを、漏話特性が改善された通信ケーブルに取り替え、中間部分の通信ケーブルは、既設の通信ケーブルを、そのまま使用するので、通信端末間の通信ケーブルの全てを取り替えるのに比べて、経済的である。
【００２２】
本発明の好ましい実施態様においては、前記信号が、高周波信号であって、ｘＤＳＬの信号を含み、前記通信ケーブルが、メタルケーブルであって、該メタルケーブルには、前記ｘＤＳＬの回線を含む複数の回線が共存している。
【００２３】
この実施態様によると、同一のメタルケーブルに、多数の回線を収容できるとともに、回線の間の干渉を抑制し、安価にネットワークを構築できる。
【００２４】
本発明の他の実施態様においては、前記複数の回線には、列車の運行に利用される鉄道回線が含まれるものである。
【００２５】
この実施態様によると、メタルケーブルに鉄道回線を共存させて列車の運行に必要な信号を伝送することができる。
【発明の効果】
【００２６】
以上のように本発明によれば、通信端末間の通信ケーブルの内、送信側に近い両端部分の通信ケーブルを、中間部分の通信ケーブルに比べて、漏話特性が改善された通信ケーブルとしているので、中間部分は、既設の通信ケーブルを使用することにより、経済的に、漏話雑音を低減して干渉を抑制し、伝送品質の劣化を改善することができる。
【発明を実施するための最良の形態】
【００２７】
以下、本発明の実施の形態を、図面を参照して説明する。図１は本発明の一実施形態の通信線路を用いた通信システムの概略構成図である。
【００２８】
同図において、１は、例えば鉄道の各駅にそれぞれ設置されて通信ケーブルを引き込む通信機器室であり、各通信機器室１は、通信端末として、ケーブルを整理して分配するための主配線盤（ＭＤＦ）２および伝送装置３をそれぞれ備えている。伝送装置３は、高周波のデータ信号であるｘＤＳＬのデータ信号をアナログ信号に変調、復調するｘＤＳＬモデム（図示せず）などを内蔵している。
【００２９】
各通信機器室１は、各駅に対応して、例えば、５ｋｍ〜１０ｋｍの間隔で配置されており、メタルケーブルからなる通信ケーブル４で繋がれている。
【００３０】
この通信ケーブル４は、例えば、図２に示されるように、銅などの導体５とポリエチレン等の絶縁体６とからなる絶縁線心７の４本を集合させて対角線上にある絶縁線心７同士を対として星形に撚り合わせたカッド８を複数収容してユニット９を構成し、このユニット９を複数収容して構成されている。この図２では、５０対の通信ケーブル４の例を示している。
【００３１】
この通信ケーブル４には、電話回線などの既存の回線と共に、複数のｘＤＳＬの回線が収容されるものであり、漏話雑音による互いに干渉を抑制するために、次のように構成している。
【００３２】
すなわち、各通信機器室１間の通信ケーブル４を、第１，第２の２種類の通信ケーブル４−１，４−２で構成し、第１の通信ケーブルを中間部分に設置する一方、第２の通信ケーブル４−２を、第１の通信ケーブル４−１の両端部分に設置している。
【００３３】
中間部分の第１の通信ケーブル４−１は、既設のメタルケーブルであり、両端部分の第２の通信ケーブル４−２は、既設のメタルケーブル４−１に比べて、漏話特性を改善したメタルケーブルである。
【００３４】
すなわち、この実施の形態の通信線路の敷設方法は、中間部分の第１の通信ケーブル４−１は、新たに取り替えることなく、既設のメタルケーブルをそのままとし、両端部分のみを、既設の通信ケーブル４−１から漏話特性を改善した第２の通信ケーブル４−２に取り替えるものである。
【００３５】
この第２の通信ケーブル４−２は、例えば、カッドの撚りピッチを、第１の通信ケーブル４−１に比べて短くして、漏話特性を改善している。なお、漏話特性の改善は、撚りピッチを短くする手法に限らず、撚りピッチを全て異ならせたり、その他従来公知の手法を用いることができる。
【００３６】
この第２の通信ケーブル４−２は、第１の通信ケーブル４−１に比べて、例えば、３ｄＢ〜１５ｄＢ程度、漏話特性が改善されている。
【００３７】
この実施の形態では、ケーブルを延長する際に、接続部を保護するための樹脂製のクロージャ１０の部分で、第１，第２の通信ケーブル４−１，４−２を接続しており、各通信機器室１の主配線盤２から、例えば、最初のクロージャ１０に至る区間に、第２の通信ケーブル４−２をそれぞれ敷設し、前記最初のクロージャ間に、第１の通信ケーブル４−１を敷設している。各通信機器室１から最初のクロージャに至る第２の通信ケーブル４−２の長さは、例えば、１００ｍ〜５００ｍ程度である。なお、第１，第２の通信ケーブル４−１，４−２の長さの比率などは、実験などによって、所望の特性が得られるように適宜設定されるものである。
【００３８】
このように、各通信機器室１から所要の距離の通信ケーブルのみを、既設の通信ケーブル４−１から漏話特性を改善した第２の通信ケーブル４−２に取り替えることによって、送信側に近い程、信号の漏れが大きくなる近端漏話雑音を有効に抑制できることになり、これによって、遠端漏話よりも支配的な近端漏話雑音を低減して干渉による伝送の不具合を改善できることになる。
【００３９】
しかも、各通信機器室１間の全区間を、漏話特性を改善した通信ケーブル４−２に取り替える必要がなく、中間部分は、既設の通信ケーブル４−１をそのまま使用できるので、経済的に施工できることになる。
【００４０】
また、漏話雑音を低減して干渉を抑制できるので、通信ケーブル内の回線収容条件を緩和することが可能となり、収容効率を高めることができる。
【００４１】
また、経済的に漏話雑音を低減して干渉を抑制できるので、列車の運行に利用される鉄道回線などを同一の通信ケーブルに共存させて伝送することが可能となる。
【００４２】
（その他の実施の形態）
本発明の他の実施の形態として、複数の光ファイバを収納した光ユニットを内蔵した通信ケーブルを用いてもよい。
【００４３】
上述の実施の形態では、各通信機器室１の間の通信線路の中間部分は、既設の通信ケーブルをそのまま利用したけれども、本発明の他の実施の形態として、新たに通信線路を敷設する場合にも、中間部分は、安価な従来の通信ケーブルを敷設し、両端部分のみを、前記従来の通信ケーブルに比べて、漏話特性が改善された通信ケーブルを敷設すればよい。
【００４４】
上述の実施の形態では、カッド撚りのメタルケーブルに適用して説明したけれども、本発明の他の実施の形態として、対撚りのメタルケーブルに適用してもよい。
【図面の簡単な説明】
【００４５】
【図１】本発明の一実施形態の通信線路を用いたシステムの概略構成図である。
【図２】通信ケーブルの構成を示す断面図である。
【符号の説明】
【００４６】
１  通信機器室    ２  主配線盤    ３  伝送装置
４  通信ケーブル  ４−１  第１の通信ケーブル
４−２  第２の通信ケーブル  １０  クロージャ
【図１】
2005073207.tif 000003
【図２】
2005073207.tif 000004